(57)【要約】【課題】金型本体に対する蓋の着脱操作を容易に行うことができ、自動化への対応も容易な遠心成形型における蓋のロック装置を提供する。【解決手段】蓋１２の外周から金型本体１１の外周面に沿う方向に設けたロック爪支持部２２に金型接線方向の支軸（ピン２６）によってロック爪２３を軸支し、該ロック爪の回動端がロック爪支持部から金型本体側に突出して金型本体外周面に、前記軸支位置よりも開口側で当接するロック位置と金型本体外周面から離れるロック解除位置とに回動可能な形成し、前記ロック爪支持部に、前記ロック爪を前記ロック位置方向に付勢するスプリング２４を設けるとともに、ロック爪をロック位置からロック解除位置に移動させるロック解除リング２５を金型本体外周を囲繞するように設ける。【選択図】　　図１
2004082415.tif 000002
【特許請求の範囲】
【請求項１】
中空円筒体を遠心成形するための管状の金型本体と、該金型本体の開口を閉塞する蓋とを有する遠心成形型における蓋のロック装置であって、前記蓋の外周から前記金型本体の外周面に沿う方向に設けたロック爪支持部に金型接線方向の支軸によってロック爪を軸支し、該ロック爪の回動端がロック爪支持部から金型本体側に突出して金型本体外周面に、前記軸支位置よりも開口側で当接するロック位置と金型本体外周面から離れるロック解除位置とに回動可能な形成し、前記ロック爪支持部に、前記ロック爪を前記ロック位置方向に付勢するスプリングを設けるとともに、前記ロック爪を前記ロック位置からロック解除位置に移動させるロック解除リングを、金型本体外周を囲繞するように設けたことを特徴とする遠心成形型における蓋のロック装置。
【発明の詳細な説明】
【０００１】
【発明の属する技術分野】
本発明は、遠心成形型における蓋のロック装置に関し、詳しくは、中空円筒体を成形するための管状の金型本体における両端開口に着脱可能に設けられる蓋のロック装置に関する。
【０００２】
【従来の技術】
樹脂製中空円筒体を成形する方法として、管状の金型本体と、該金型本体の開口を閉塞する蓋とからなる遠心成形型内に原料樹脂を注入し、該金型を軸線を中心として回転させながら原料樹脂を硬化させる遠心成形法が知られている（例えば、特許文献１参照。）。
【０００３】
【特許文献１】
特開平６−３３５９３１号公報（第３頁、第１図）
【０００４】
【発明が解決しようとする課題】
しかし、従来の遠心成形型における蓋は、金型本体の端部に設けられているフランジに対して複数のボルトで固定していたため、成形品を金型内から取り出すには、ボルトを抜いて蓋を取り外す必要がある。さらに、一方の蓋を取り外しただけでは、成形品が収縮しないと金型内から取り出すことができず、冷却されるまで待たなければならなかった。また、一方の開口側から他方の開口に向けて成形品を押し出して取り出すためには、両方の蓋を取り外す必要がある。
【０００５】
このように、従来の遠心成形型では、遠心成形を行うたびに多数のボルトを着脱する必要があり、作業性が悪く、生産性も低かった。また、金型本体に対する蓋のロック機構として、キャッチクリップのような市販のロック手段を使用することも行われているが、シール力の点で問題があったり、自動化への適合が困難であったりするなどの難点があった。
【０００６】
そこで本発明は、金型本体に対する蓋の着脱操作を容易に行うことができ、自動化への対応も容易な遠心成形型における蓋のロック装置を提供することを目的としている。
【０００７】
【課題を解決するための手段】
上記目的を達成するため、本発明の遠心成形型における蓋のロック装置は、中空円筒体を遠心成形するための管状の金型本体と、該金型本体の開口を閉塞する蓋とを有する遠心成形型における蓋のロック装置であって、前記蓋の外周から前記金型本体の外周面に沿う方向に設けたロック爪支持部に金型接線方向の支軸によってロック爪を軸支し、該ロック爪の回動端がロック爪支持部から金型本体側に突出して金型本体外周面に、前記軸支位置よりも開口側で当接するロック位置と金型本体外周面から離れるロック解除位置とに回動可能な形成し、前記ロック爪支持部に、前記ロック爪を前記ロック位置方向に付勢するスプリングを設けるとともに、前記ロック爪を前記ロック位置からロック解除位置に移動させるロック解除リングを、金型本体外周を囲繞するように設けたことを特徴としている。
【０００８】
【発明の実施の形態】
図１は本発明の蓋のロック装置を使用した遠心成形型の一形態例を示す断面図、図２はロック装置におけるロック状態を示す正面図、図３ロック装置におけるロック解除状態を示す正面図である。
【０００９】
まず、遠心成形型１０は、管状の金型本体１１と、該金型本体１１の両端開口を閉塞するための一対の蓋１２とを有するものであって、一方の蓋を金型本体に装着した状態で金型本体１１内に原料樹脂を注入し、他方の蓋を装着して金型本体の両端開口を閉塞した後、金型軸線を中心として高速回転させることにより、金型本体１１の内周面に沿う筒状の成形品を得るものである。また、本形態例に示す蓋１２は、金型本体１１の開口端面を閉塞する円盤状の蓋板１３と、該蓋板１３の外周から金型本体１１の外周面に対して一定間隔を空けて沿うように設けられた筒状の側筒部１４とを有している。
【００１０】
蓋１２を金型本体１１に固定するためのロック装置２１は、蓋１２の側筒部１４に複数箇所、例えば等間隔で３〜４箇所に設けられたロック爪支持部２２と、各ロック爪支持部にそれぞれ取り付けられたロック爪２３と、該ロック爪２３をロック位置方向に付勢するスプリング２４と、側筒部１４の先端に設けられたロック解除リング２５とを有している。
【００１１】
ロック爪支持部２２は、ロック爪２３を軸支するためのピン（支軸）２６を取り付けるピン孔と、前記スプリング２４を装着するためのスプリング収納部２７と、前記ロック解除リング２５を支持するボルト２８を取り付ける雌ねじ部とを有している。なお、ボルト２８を取り付ける雌ねじ部は、側筒部１４の全周にわたって設けられるロック解除リング２５を支持するものであるから、ロック爪支持部２２の位置とは関係なく、側筒部１４の任意の位置に設けることができる。
【００１２】
ロック解除リング２５は、金型本体外周面と側筒部内周面との間に挿入されるロック解除片３１と、側筒部外周面に沿う状態の取付片３２と、両片３１，３２を連結する連結片３３とからなる断面コ字状のものであって、前記取付片３２には、前記ボルト２８の取付位置に対応するように、金型軸線方向に長軸を有する長孔３４が設けられている。このロック解除リング２５は、前記長孔３４を挿通した前記ボルト２８により、側筒部１４の先端に金型軸線方向に対して移動可能な状態で取り付けられる。
【００１３】
ロック爪２３は、前記ピン２６に基端部が支持されて回動可能な状態となっており、回動端（内端）は、側筒部内周面から金型本体側に突出して金型本体外周面に当接可能な状態となっている。このロック爪２３は、前記スプリング２４によって突出方向に付勢されており、蓋１２を金型本体１１に装着していない状態では、ロック解除リング２５におけるロック解除片３１の先端に当接する位置まで回動した状態に保持されている。このとき、ロック解除リング２５は、スプリング２４により付勢されたロック爪２３によって側筒部先端から離れた位置（反蓋板側）に押し付けられた状態になるとともに、このときのロック爪２３の回動端は、金型本体外周面に相当する位置よりも内周側に突出した状態となっている。
【００１４】
このように形成したロック装置２１は、蓋１２を金型本体１１に装着する際に、ロック爪２３の回動端が金型本体外周面に接触することにより、スプリング２４の付勢力に抗してロック爪２３が蓋板１３側に押し戻される状態になる。蓋１２が金型本体１１の開口を閉塞する位置となり、蓋板１３に設けたパッキン１５が押し潰された閉塞状態になると、ロック爪２３は、スプリング２４の付勢力によって回動端が金型本体外周面に当接した状態に保持される。
【００１５】
そして、この閉塞状態において、ロック爪２３の回動端が金型本体１１の外周面に当接する位置は、前記ピン２６よりも開口側（蓋板１３側）に位置するように各部の寸法や位置関係が設定されている。これにより、ピン２６を中心として回動するロック爪２３は、ピン２６と回動端当接部との位置関係により、金型本体と側筒部との間に楔状に食い込んだロック状態となる。したがって、開き方向への蓋１２の移動が阻止されることになり、蓋１２が金型本体１１の開口を閉塞した状態に保持されることになる。すなわち、蓋１２は、金型本体１１に対して軸線方向に組み付けるだけで自動的に閉塞状態に保持されることになる。
【００１６】
一方、成形後に蓋１２を金型本体１１から取り外す場合は、図３に示すように、前記ロック解除リング２５を蓋板側に移動させ、ロック解除片３１によってロック爪２３を蓋板側に回動させることにより、回動端と金型本体外周面との当接状態、即ちロック爪２３によるロック状態を解除することができる。
【００１７】
したがって、ロック解除リング２５を蓋側に移動させる治具を用いることによって容易にロック解除を行うことができ、このロック解除用の治具と蓋１２を把持する治具とを組み合わせることによって金型本体１１からの蓋１２の取り外しを簡単に行うことができる。また、ロック解除リング２５を金型本体外周を囲繞するようにリング状に形成しておくことにより、治具と金型との方向に関係なくロック解除操作を行うことができるので、自動化への対応も容易である。
【００１８】
さらに、本形態例に示すように、金型本体両側の開口に前記ロック装置２１を備えた蓋１２を設けておくことにより、成形後に両方の蓋１２を取り外して一方の開口から他方の開口に向けて成形品を押し出して金型本体内から取り出すことができるので、従来のように成形品が収縮するのを待ってから取り出す場合や、多数のボルトを取り外す場合に比べて大幅な時間短縮を図ることができる。
【００１９】
【発明の効果】
以上説明したように、本発明の遠心成形型における蓋のロック装置によれば、蓋の着脱を容易に行うことができるので、成形品の取り出しも成形直後に行うことが可能となる。また、ロック解除は、ロック解除リングを蓋板側に傾動させるだけで行えるので、自動化への対応も容易である。
【図面の簡単な説明】
【図１】本発明の蓋のロック装置を使用した遠心成形型の一形態例を示す断面図である。
【図２】ロック装置におけるロック状態を示す正面図である。
【図３】ロック装置におけるロック解除状態を示す正面図である。
【符号の説明】
１０…遠心成形型、１１…金型本体、１２…蓋、１３…蓋板、１４…側筒部、１５…パッキン、２１…ロック装置、２２…ロック爪支持部、２３…ロック爪、２４…スプリング、２５…ロック解除リング、２６…ピン、２７…スプリング収納部、２８…ボルト、３１…ロック解除片、３２…取付片、３３…連結片、３４…長孔
【図１】
2004082415.tif 000003
【図２】
2004082415.tif 000004
【図３】
2004082415.tif 000005